(57)【要約】【課題】無線特性の劣化の抑制とカメラインタフェース信号のノイズ耐性の向上とを両立させることができるカメラ付き携帯電話機及び制御方法並びに制御プログラムの提供。【解決手段】  制御部１０と無線送受信部２０とカメラ部３０とを少なくとも備え、制御部１０は、カメラ部３０との間でインタフェース信号を送受信するカメラＩ／Ｆ１３ａにバッファ能力が変更可能なバッファ回路を備えるカメラ付き携帯電話機において、制御部１０は、カメラ付き携帯電話機の状態が、バッファ能力を変更する状態を規定する変更条件に合致するか否かを判断し、変更条件に合致する場合に、バッファ回路のバッファ能力を変更するバッファ制御手段を設け、ノイズの発生が懸念される使用条件ではバッファ能力を高くしてノイズ耐性を向上させ、それ以外の使用条件ではバッファ能力を低くして無線特性への影響を少なくする。【選択図】図２
2009147449.tif 000002
【特許請求の範囲】
【請求項１】
制御部と無線送受信部とカメラ部とを少なくとも備え、前記制御部は、前記カメラ部との間でインタフェース信号を送受信するカメラインタフェースに、バッファ能力が変更可能なバッファ回路を備えるカメラ付き携帯電話機において、
前記制御部は、前記カメラ付き携帯電話機の状態が、バッファ能力を変更する状態を規定する変更条件に合致するか否かを判断し、前記変更条件に合致する場合に、前記バッファ回路のバッファ能力を変更するバッファ制御手段を備えることを特徴とするカメラ付き携帯電話機。
【請求項２】
前記バッファ能力を変更する状態は、
前記カメラ部のオートフォーカス動作のモータ駆動時、カメラ動作モード切り替え時の制御コマンド送信時、前記無線送受信部の送信電力が所定の閾値を超える状態、のいずれかを含むことを特徴とする請求項１に記載のカメラ付き携帯電話機。
【請求項３】
前記変更条件には、バッファ能力を変更する状態とバッファ能力のレベルとが対応付けて規定され、
前記バッファ制御手段は、前記変更条件に合致する場合に、前記バッファ回路のバッファ能力を、合致する状態に対応するレベルに変更することを特徴とする請求項１又は２に記載のカメラ付き携帯電話機。
【請求項４】
制御部と無線送受信部とカメラ部とを少なくとも備え、前記制御部は、前記カメラ部との間でインタフェース信号を送受信するカメラインタフェースに、バッファ能力が変更可能なバッファ回路を備えるカメラ付き携帯電話機における制御方法であって、
バッファ回路のバッファ能力を変更する状態を規定する変更条件を記憶する第１のステップと、
前記カメラ付き携帯電話機の状態を検出する第２のステップと、
現在の状態が、予め記憶された前記変更条件に合致するか否かを判断する第３のステップと、
前記変更条件に合致する場合に、前記バッファ回路のバッファ能力を変更する第４のステップと、を少なくとも有することを特徴とする制御方法。
【請求項５】
前記バッファ能力を変更する状態は、
前記カメラ部のオートフォーカス動作のモータ駆動時、カメラ動作モード切り替え時の制御コマンド送信時、前記無線送受信部の送信電力が所定の閾値を超える状態、のいずれかを含むことを特徴とする請求項４に記載の制御方法。
【請求項６】
前記変更条件として、バッファ能力を変更する状態とバッファ能力のレベルとを対応付けて規定し、
前記第４のステップでは、前記変更条件に合致する場合に、前記バッファ回路のバッファ能力を、合致する状態に対応するレベルに変更することを特徴とする請求項４又は５に記載の制御方法。
【請求項７】
制御部と無線送受信部とカメラ部とを少なくとも備え、前記制御部は、前記カメラ部との間でインタフェース信号を送受信するカメラインタフェースに、バッファ能力が変更可能なバッファ回路を備えるカメラ付き携帯電話機で動作する制御プログラムであって、
コンピュータを、
前記カメラ付き携帯電話機の状態が、バッファ能力を変更する状態を規定する変更条件に合致するか否かを判断し、前記変更条件に合致する場合に、前記バッファ回路のバッファ能力を変更するバッファ制御手段、として機能させることを特徴とする制御プログラム。
【請求項８】
前記バッファ能力を変更する状態は、
前記カメラ部のオートフォーカス動作のモータ駆動時、カメラ動作モード切り替え時の制御コマンド送信時、前記無線送受信部の送信電力が所定の閾値を超える状態、のいずれかを含むことを特徴とする請求項７に記載の制御プログラム。
【請求項９】
前記変更条件には、バッファ能力を変更する状態とバッファ能力のレベルとが対応付けて規定され、
前記バッファ制御手段は、前記変更条件に合致する場合に、前記バッファ回路のバッファ能力を、合致する状態に対応するレベルに変更することを特徴とする請求項７又は８に記載の制御プログラム。
【発明の詳細な説明】
【技術分野】
【０００１】
本発明は、携帯電話機及び制御方法並びに制御プログラムに関し、特に、カメラ部を備えるカメラ付き携帯電話機及びカメラインタフェースのバッファ能力を調整する制御方法並びにカメラインタフェースのバッファ能力を調整するための制御プログラムに関する。
【背景技術】
【０００２】
携帯電話機の小型化、薄型化に伴い、電気部品が搭載されるプリント基板も小型化、薄型化のものが採用される。こうしたプリント基板の小型化、薄型化のために、電源、ＧＮＤ、信号のパターン設計や部品配置に対する制約が多くなる傾向がある。これは、携帯電話機で使用されるカメラ（モジュール）についても同様である。これらの制約により、携帯電話機の各デバイス間のインタフェース信号のノイズ耐性を確保することは重要な課題となる。
【０００３】
例えば、カメラモジュール内のオートフォーカスモータを駆動したときの電源ノイズや無線送信波のカメラインタフェース信号への干渉等により、カメラのプレビュー画像や撮像画像にノイズが発生する可能性があることから、設計および検証には十分な注意が必要となる。
【０００４】
ノイズ耐性を向上させる方法としては、一般に、ダンパー抵抗やノイズ吸収用のキャパシタ追加等の対策部品追加による方法が知られているが、この方法では、コスト及び実装面積の増加を招き、低価格化及び小型化、薄型化が求められる携帯電話機にとって大きな問題となる。
【０００５】
そこで、対策部品を追加せずにノイズ耐性を向上させる方法として、カメラインタフェースの出力端子のバッファ能力を上げる方法が提案されている。例えば、下記特許文献１には、出力バッファ回路と周辺部品間の信号ラインで輻射されるノイズを抑える為の出力バッファ駆動能力調整方法が開示されている。
【０００６】
【特許文献１】特開２００４−８８４８７号公報
【発明の開示】
【発明が解決しようとする課題】
【０００７】
しかしながら、カメラインタフェースのバッファ能力を上げる方法では、バッファ能力の上昇に伴って高調波成分が増加するため、無線特性の劣化といったデメリットが生じてしまうという問題があった。
【０００８】
本発明は、上記問題点に鑑みてなされたものであって、その主たる目的は、無線特性の劣化の抑制とカメラインタフェース信号のノイズ耐性の向上とを両立させることができるカメラ付き携帯電話機及び制御方法並びに制御プログラムを提供することにある。
【課題を解決するための手段】
【０００９】
上記目的を達成するため、本発明は、制御部と無線送受信部とカメラ部とを少なくとも備え、前記制御部は、前記カメラ部との間でインタフェース信号を送受信するカメラインタフェースに、バッファ能力が変更可能なバッファ回路を備えるカメラ付き携帯電話機において、前記制御部は、前記カメラ付き携帯電話機の状態が、バッファ能力を変更する状態を規定する変更条件に合致するか否かを判断し、前記変更条件に合致する場合に、前記バッファ回路のバッファ能力を変更するバッファ制御手段を備えるものである。
【００１０】
本発明においては、前記バッファ能力を変更する状態とは、前記カメラ部のオートフォーカス動作のモータ駆動時、カメラ動作モード切り替え時の制御コマンド送信時、前記無線送受信部の送信電力が所定の閾値を超える状態、のいずれかを含む構成とすることができる。
【００１１】
また、本発明においては、前記変更条件には、バッファ能力を変更する状態とバッファ能力のレベルとが対応付けて規定され、前記バッファ制御手段は、前記変更条件に合致する場合に、前記バッファ回路のバッファ能力を、合致する状態に対応するレベルに変更する構成とすることもできる。
【００１２】
このように、通常時とカメラ画像ノイズが発生する可能性のある使用条件下とで、カメラインタフェースのバッファ能力を切り替えて動作させることにより、無線特性の劣化を抑制しつつ、ノイズ耐性を向上させることができる。
【発明の効果】
【００１３】
本発明のカメラ付き携帯電話機及び制御方法並びに制御プログラムによれば、無線特性の劣化の抑制とカメラインタフェース信号のノイズ耐性の向上とを両立させることができる。
【００１４】
その理由は、カメラ付き携帯電話機に、ハードウェア又はソフトウェアとして、カメラ付き携帯電話機の状態が予め定めたカメラインタフェースのバッファ能力の変更条件に合致するか否かを判断し、合致する場合にカメラインタフェースのバッファ能力を変更するバッファ制御手段を設け、カメラインタフェースへのノイズの発生が懸念される使用条件においてはバッファ能力を高くしてカメラのノイズ耐性を向上させ、それ以外の使用条件においては、バッファ能力を低くして無線特性への影響が少ない状態を維持するからである。
【発明を実施するための最良の形態】
【００１５】
背景技術で示したように、携帯電話機の小型化、薄型化に伴い、携帯電話機の各デバイス間のインタフェース信号（特に、カメラインタフェース信号）のノイズ耐性を確保することが重要な課題となっている。ノイズ耐性を向上させる方法として、ダンパー抵抗やノイズ吸収用のキャパシタ等のノイズ対策部品を追加する方法と、インタフェースのバッファ能力を上げる方法とがあるが、前者の方法ではノイズ対策部品の追加によりコスト及び実装面積の増加を招き、後者の方法では高調波成分の増加による無線特性の劣化が生じてしまう。
【００１６】
ここで、後者の方法において、インタフェース回路上のノイズの発生を検出し、ノイズが検出された時にバッファ能力を上げる方法も考えられるが、この方法では、ノイズの発生を検出するための回路が必要であり、コスト及び実装面積の増加を招く。一方、カメラインタフェース信号の場合には、オートフォーカス動作のモータ駆動時や制御コマンド送信時など、特定の状態の時にノイズ耐性を向上させればノイズの影響を十分に抑制することが可能であり、この特定の状態は制御部で容易に特定可能である。
【００１７】
そこで、本発明では、カメラ付き携帯電話機に、予めノイズ耐性を向上させる必要のある状態をカメラインタフェースのバッファ能力の変更条件として記憶しておき、現在の状態がこのバッファ能力の変更条件に合致するか否かを判断し、カメラインタフェース上へのノイズが原因でカメラ画像ノイズが発生しやすい条件下でカメラ機能を動作させる場合にのみ、カメラインタフェースのバッファ能力を変更するようにする。
【００１８】
これにより、ノイズ対策部品やノイズ検出回路等の追加によるコスト及び実装面積の増加を抑制することができる。また、バッファ能力の変更条件に合致しない動作状態においてはバッファ能力を上げないことにより、無線特性の劣化を抑制することができると共に、消費電力の増加も抑制することができる。
【実施例】
【００１９】
上記した本発明の一実施の形態について更に詳細に説明すべく、本発明の一実施例に係るカメラ付き携帯電話機及び制御方法並びに制御プログラムについて、図１乃至図３を参照して説明する。図１は、本実施例のカメラ付き携帯電話機の構成を示すブロック図であり、図２は、制御部及びカメラ部の詳細構成及びインタフェースを示すブロック図である。また、図３は、本実施例のカメラ付き携帯電話機の動作を示すフローチャート図である。
【００２０】
図１に示すように、本実施例のカメラ付き携帯電話機は、制御部１０と、無線送受信部２０と、カメラ部３０と、表示部４０などを備える。
【００２１】
制御部１０は、主にＣＰＵ（Central Processing Unit）、周辺回路、ＲＯＭ（Read Only Memory）やＲＡＭ（Random Access Memory）などのメモリから構成され、カメラ付き携帯電話機の動作に必要なプログラムをメモリから読み出してＣＰＵ上で動作させることにより、カメラ付き携帯電話機全般の制御を行う。また、無線送受信部２０は、主に送信部、受信部、アンテナから構成され、無線信号の送受信や変調／復調などを行う。また、カメラ部３０は、制御部１０と接続され、撮像画像を電気信号に変換し、映像信号として出力する。また、表示部４０は、各種情報の表示やカメラ部３０の撮像画像の表示を制御部１０を介して行う。
【００２２】
なお、図１は、本実施例のカメラ付き携帯電話機の主要構成のみを示しており、図１の構成に加えて、キー操作部やスピーカ、マイク等の携帯電話機の動作に必要な手段を備えるものとする。また、これらの手段に加えて、音楽再生機能やＴＶ放送受信機能、ＲＦＩＤ（Radio Frequency Identification）機能など、携帯電話機で実行可能な機能を実現する手段を備えていてもよい。
【００２３】
また、図２に示すように、制御部１０の周辺回路１３はカメラＩ／Ｆ１３ａを備え、カメラＩ／Ｆ１３ａとカメラ部３０との間で、カメラ動作クロック、映像信号、映像同期クロック、水平同期信号、垂直同期信号等のインタフェース信号が送受信される。また、カメラＩ／Ｆ１３ａは、少なくとも出力バッファ回路を備える。この出力バッファ回路の構成は特に限定されないが、例えば、ＰチャネルＦＥＴ（Field Effect Transistor）及びＮチャネルＦＥＴと、抵抗値の異なる複数の出力バッファ調整抵抗と、出力バッファ調整抵抗を切り替えるためのスイッチなどで構成することができ、所定の出力バッファ調整抵抗を選択することにより、上記各インタフェース信号について出力バッファ回路のバッファ能力を調整することができる。
【００２４】
また、カメラ部３０は、被写体の撮像画像をセンサ３２に結像するための１又は複数のレンズ３４と、レンズ３４の動作を制御する駆動手段（ここでは、ＡＦ（Automatic Focus）モータ３１）と、撮像画像のイメージ信号を電気信号に変換するＣＣＤ（Charge Coupled Devices）等のセンサ３２と、電気信号の制御／演算等を行うＤＳＰ（Digital Signal Processor）３３等から構成される。
【００２５】
ここで、上述したように、ＡＦモータ３１の駆動時やカメラへの動作モード切り替え時の制御コマンド送信時などには、カメラ部３０内で電源変動によるノイズ発生が想定されることから、このような特定の状態においてバッファ能力を調整できるようにする必要がある。そこで、本実施例では、上記特定の状態をカメラインタフェースのバッファ能力の変更条件として予め制御部１０のメモリ１２等に記憶しておき、制御部１０で、カメラ付き携帯電話機（特に、カメラ部３０）の状態を検出し、現在の状態が予め記憶したバッファ能力の変更条件に合致するか否かを判断し、合致する場合に、出力バッファ回路のスイッチ等を切り替えて所定の出力バッファ調整抵抗を選択するなど、バッファ能力を変更する制御を行う。
【００２６】
この制御を行う手段（バッファ制御手段と呼ぶ。）は、制御部１０にハードウェアとして構成してもよいし、コンピュータを、バッファ制御手段として機能させる制御プログラムとして構成し、この制御プログラムをＣＰＵ１１上で動作させる構成としてもよい。
【００２７】
次に、上記構成のカメラ付き携帯電話機の動作について、図３のフローチャート図を参照して説明する。
【００２８】
まず、カメラ部３０内で電源変動によるノイズ発生が想定される特定の状態を、カメラインタフェースのバッファ能力の変更条件として、制御部１０のメモリ１２等に登録しておく。なお、上記変更条件の登録方法は任意であり、ユーザがキー操作部を操作して変更条件を登録してもよいし、製造メーカ側で変更条件を予め登録してもよい。
【００２９】
次に、ステップＳ１で、ユーザがキー操作部を操作してカメラ機能を選択すると、制御部１０はカメラＩ／Ｆ１３を介して制御信号を送信し、カメラ部３０を起動させる。
【００３０】
次に、ステップＳ２で、制御部１０のバッファ制御手段は、カメラ付き携帯電話機（ここではカメラ部３０）の状態を検出し、現在の状態が予め記憶したバッファ能力の変更条件に合致するか否かを判断する。
【００３１】
このバッファ能力の変更条件として規定する状態としては、上述したように、ＡＦモータ３１の駆動時やカメラへの動作モード切り替え時の制御コマンド送信時等、カメラ部３０内で電源変動によるノイズ発生が想定される状態が考えられる。
【００３２】
また、カメラインタフェースへのノイズの発生源がカメラ付き携帯電話機の無線送信の干渉による場合も想定されることから、ある送信電力をカメラインタフェースのバッファ能力の変更条件の閾値として設定することもできる。その場合は、制御部１０のバッファ制御手段は、無線送受信部２０から送信電力の値を取得して、この値が変更条件として設定された閾値を超える場合に変更条件に合致すると判断することができる。
【００３３】
そして、現在の状態がバッファ能力の変更条件に合致しない場合は、ノイズ耐性を向上させる必要がないことからステップＳ４にスキップする。一方、現在の状態がバッファ能力の変更条件に合致する場合は、ステップＳ３で、制御部１０のバッファ制御手段は、出力バッファ回路のスイッチ等を切り替えて所定の出力バッファ調整抵抗を選択する等の方法により、カメラインタフェースのバッファ能力を変更する。
【００３４】
なお、バッファ能力をどのような値に設定するかは任意であり、例えば、出力バッファ回路に２種類の出力バッファ調整抵抗を備え、バッファ能力が２段階に設定可能な場合は、通常の状態ではバッファ能力を低く設定し、バッファ能力の変更条件に合致する状態ではバッファ能力を高く設定することができる。また、バッファ能力が３段階以上に設定可能な場合は、バッファ能力の変更条件に予めバッファ能力のレベルを規定しておき、通常の状態ではバッファ能力を最も低いレベルに設定し、バッファ能力の変更条件に合致する状態ではバッファ能力をその変更条件に対応するレベルに設定することもできる。
【００３５】
次に、ステップＳ４で、制御部１０は、カメラ動作を継続するかを確認し、継続する場合にはステップＳ２に戻って同様のバッファ能力の制御を繰り返し、継続しない場合にはステップＳ５で、制御部１０はカメラＩ／Ｆ１３を介して制御信号を送信し、カメラ部３０のカメラ動作を終了させる。
【００３６】
このように、バッファ制御手段は、現在の状態が予め記憶されたカメラインタフェースのバッファ能力の変更条件に合致するか否かを判断し、合致する場合にバッファ能力を変更する制御を行うため、必要時には、バッファ能力を上げてカメラインタフェース信号のノイズ耐性を向上させることができ、必要時以外には、バッファ能力を下げて無線特性の劣化を抑制すると共に消費電力の増加を抑制することが可能となる。
【００３７】
なお、上記実施例では、カメラ部３０内で電源変動によるノイズ発生が想定される場合をカメラインタフェースのバッファ能力の変更条件として設定したが、ＣＤＭＡ／ＧＳＭ／ＰＤＣ（Code Division Multiple Access/Global System for Mobile Communications/Personal Digital Cellular）等の複数の無線通信方式を採用する携帯電話機においては、無線送受信部２０の送信電力に加え、通信方式に依存する送信方法（連続／バースト）や送信周波数帯をカメラインタフェースのバッファ能力の変更条件として設定することもできる。
【００３８】
また、上記実施例では、カメラインタフェースのバッファ能力を変更する場合について記載したが、本発明は上記実施例に限定されるものではなく、任意のデバイスインタフェースのバッファ能力を変更する場合に対して同様に適用することができる。
【産業上の利用可能性】
【００３９】
本発明は、カメラ付き携帯電話機に限らず、インタフェース信号の送受信を行う任意のデバイスを備える携帯電話機、ＰＤＡ（Personal Digital Assistants）、ゲーム機等の携帯型端末に利用可能である。
【図面の簡単な説明】
【００４０】
【図１】本発明の一実施例に係るカメラ付き携帯電話機の構成を示すブロック図である。
【図２】本発明の一実施例に係るカメラ付き携帯電話機における制御部とカメラ部の詳細構成及びインタフェースを示すブロック図である。
【図３】本発明の一実施例に係るカメラ付き携帯電話機の動作を示すフローチャート図である。
【符号の説明】
【００４１】
１０  制御部
１１  ＣＰＵ
１２  メモリ
１３  周辺回路
１３ａ  カメラＩ／Ｆ
２０  無線送受信部
３０  カメラ部
３１  ＡＦモータ
３２  センサ
３３  ＤＳＰ
３４  レンズ
４０  表示部
【図１】
2009147449.tif 000003
【図２】
2009147449.tif 000004
【図３】
2009147449.tif 000005